(57)【要約】【課題】  防水性が良く、且つ、簡易な製造工程で、色や外観の多様化が容易に図れる防水靴およびその製造方法を提供する。【解決手段】  射出成形法により、プラスチック材を金型内に射出して上下二端面２１，２２とこれら上下二端面２１，２２の間に延伸する周面２３とを有し、且つ、上端面２１に足を挿入するための開口２４が形成された継ぎ目なしアッパー２０を一体成形するアッパー成形工程と、モールド成形法によってソール３０を成形するソール成形工程と、このソール成形工程により成形されたソール３０を接着剤でアッパー２０の下端面に接着する接着工程とからなる防水靴の製造方法。【選択図】  図３
2005262659.tif 000002
【特許請求の範囲】
【請求項１】
射出成形法により、プラスチック材を金型内に射出して上下二端面とこれら上下二端面の間に延伸する周面とを有し、且つ、前記上端面に足を挿入するための開口が形成された継ぎ目なしアッパーを一体成形するアッパー成形工程と、
モールド成形法によってソールを成形するソール成形工程と、
このソール成形工程により成形された前記ソールを接着剤で前記アッパーの下端面に接着する接着工程とからなることを特徴とする防水靴の製造方法。
【請求項２】
前記アッパー成形工程において、プラスチック材としてエチレン酢酸ビニル共重合体（ＥＶＡ）を主成分としたものを使用すると共に、前記ソール成形工程において、前記ソールの下面に踵部を一体的に成形することを特徴とする請求項１に記載の防水靴の製造方法。
【請求項３】
上下二端面とこれら上下二端面の間に一体的に延伸する周面とを有し、且つ、前記上端面に足を挿入するための開口が形成されている継ぎ目なしアッパーと、
前記アッパーの下端面に接着されているソールとからなることを特徴とする防水靴。
【請求項４】
前記継ぎ目なしアッパーは、エチレン酢酸ビニル共重合体（ＥＶＡ）を主成分としたプラスチック材から一体成形されていると共に、前記ソールの下面に踵部が一体形成されていることを特徴とする請求項３に記載の防水靴。
【発明の詳細な説明】
【技術分野】
【０００１】
本発明は防水靴およびその製造方法に関し、特に、防水性に優れた防水靴およびその製造方法に関する。
【背景技術】
【０００２】
図５に、従来の防水靴の製造方法の一例を示す。図５に示すように、この製造方法は、先ずＰＶＣ（ポリ塩化ビニール）を金型内に注入してから加熱し、金型のキャビティーに所定厚さの靴膜を成形してから乾燥し、靴膜を得る。それに続いて、熱エンボスにより靴膜の底部に装飾も兼ねる滑止め用の模様を形成する。その後、図６にも示すように、靴膜１の底部の踵に相当する突起内の中空部分１１に、ブロック２を補填してから、表面処理を施し、防水靴を得る。
【０００３】
上述した防水靴の製造方法においては、ソールがアッパーと共に金型内に一体的に成形されるので、色や外観を自由に変更できず、製品が単調となり、多様化の潮流に追い付かないという欠点がある。また、この方法による防水靴が廃棄され焼却処理される際には、塩素が発生するので、環境汚染を来すという欠点もある。
【０００４】
また、複数片の布材で縫い合わせたアッパーをソールに縫い合わせてから、防水テープでアッパーとソールとの間の継ぎ目を粘着する防水靴の製造方法も知られている。このような方法は、必要に応じ、アッパーに色や材質の異なるソールを縫い合わせることができるので、多様化が図れるが、製造過程が複雑である他、前記アッパーが複数片の布材で縫い合わせて構成されているので、水がアッパーの継ぎ目から靴内に染み込み易いという不都合がある。また、前記防水テープの粘着が施工不良のため、水が前記アッパーと前記ソールとの間の継ぎ目から靴内に染み込むことも時々生じる。
【０００５】
しかも、上記二種の従来方法で作られた靴は、共に重過ぎるという問題がある。
【発明の開示】
【発明が解決しようとする課題】
【０００６】
そこで、上記従来技術の問題点に鑑みて、本発明の第１の目的は、防水性が良く、且つ、簡易な製造工程で、色や外観の多様化が容易に図れる防水靴およびその製造方法を提供することにある。
【０００７】
本発明の第２の目的は、廃棄され焼却処理される際に塩素が発生せず、且つ重過ぎることなく軽量な防水靴およびその製造方法を提供することにある。
【課題を解決するための手段】
【０００８】
上記第１の目的を達成するため、本発明に係る防水靴の製造方法の特徴構成は、射出成形法により、プラスチック材を金型内に射出して上下二端面とこれら上下二端面の間に延伸する周面とを有し、且つ、前記上端面に足を挿入するための開口が形成された継ぎ目なしアッパーを一体成形するアッパー成形工程と、
モールド成形法によってソールを成形するソール成形工程と、
このソール成形工程により成形された前記ソールを接着剤で前記アッパーの下端面に接着する接着工程とからなることにある。
【０００９】
そして、上記製造方法に基づいて、本発明の防水靴の特徴構成は、上下二端面とこれら上下二端面の間に一体的に延伸する周面とを有し、且つ、前記上端面に足を挿入するための開口が形成されている継ぎ目なしアッパーと、
前記アッパーの下端面に接着されているソールとからなることにある。
【００１０】
更に、上記第２の目的を達成するために、本発明は、前記アッパーを、焼却処理される際に塩素が発生せず環境汚染し難く、且つ質の軽量なエチレン酢酸ビニル共重合体（ＥＶＡ）を主成分としたプラスチック材で構成する。
【発明の効果】
【００１１】
上記製造方法による防水靴は、そのアッパーが射出成形法により継ぎ目なしに一体成形されるので、十分な防水性が発揮される上、そのソールだけをアッパーから独立させて成形するので、簡易な製造工程で、ソールの材質や形状・表面模様などを変更することができ、多様化が容易に図れる。
【００１２】
しかも、アッパーの成形材料として、エチレン酢酸ビニル共重合体（以下、ＥＶＡということがある）を主成分としたプラスチック材が選択された場合、廃棄され焼却処理される際に塩素を発生しないので、環境汚染し難く、且つ、靴全体も軽量になり、履き心地が良い。
【発明を実施するための最良の形態】
【００１３】
以下、図１〜図４を参照しながら、本発明の防水靴およびその製造方法の好ましい実施形態を説明する。図１は、本実施形態の製造方法の流れを示すフローチャートである。図２は、本実施形態の製造方法による防水靴のアッパーを示す側面断面図である。図３は本実施形態の製造方法による防水靴のアッパー及びソールを示す側面断面図である。図４は本実施形態の製造方法による防水靴を示す側面図である。
【００１４】
本実施形態においては、図１に示すように、先ず、射出成形法により、ＥＶＡを主成分としたプラスチック材から継ぎ目なしアッパーを成形する。すなわち、ＥＶＡを主成分としたプラスチック材を、金型内に射出してアッパーを一体成形した（アッパー成形工程）。このように成形されたアッパー２０は、図２に示すように、上下二端面２１，２２と、これら上下二端面の間に延伸されている周面２３とを有し、且つ、前記上端面に足を挿入するための開口２４が形成される。
【００１５】
アッパー成形工程とは別に、モールド成形法によってソールを踵部と共に成形した（ソール成形工程）。このように成形されたソール３０は、図３に示すように、その下面３１に踵部３２が形成してある。
【００１６】
その後、ソール３０を接着剤によってアッパー２０の下端面２２に接着し、図４に示されているような防水靴４０を完成した（接着工程）。
【００１７】
このように作製された防水靴４０は、そのアッパー２０が射出成形法により継ぎ目なしに一体成形されているので、優れた防水性が発揮される上、ソール３０だけをアッパー２０から独立させて成形したので、簡易な製造工程で、ソールの材質や形状・表面模様などを変更することができ、多様化が容易に図れる。
【００１８】
しかも、アッパーの成形材料として、本実施形態においてはＥＶＡを主成分としたプラスチック材を使用したので、廃棄され焼却処理される際に塩素が発生せず、環境汚染し難く、且つ、靴全体も軽量となって、履き心地が良いという利点がある。
【産業上の利用可能性】
【００１９】
本発明によれば、防水性が良く、且つ、簡易な製造工程で、色や外観の多様化が容易に図れる防水靴およびその製造方法を提供することができる。従って、本発明の防水靴は雨靴だけでなく、スニーカーやハイヒール等にも好適に利用できる。
【図面の簡単な説明】
【００２０】
【図１】本発明の一実施形態にかかる防水靴の製造方法を示すフローチャート
【図２】図１の製造方法による防水靴のアッパーを示す側面断面図
【図３】図１の製造方法による防水靴のアッパー及びソールを示す側面断面図
【図４】図１の製造方法により製造された防水靴を示す側面図
【図５】従来の防水靴の製造過程を示すフローチャート
【図６】従来の防水靴を示す側面断面図
【符号の説明】
【００２１】
２０       アッパー
２１       上端面
２２       下端面
２３       周面
２４       開口
３０       ソール
３１       下面
３２       踵部
４０       防水靴
【図１】
2005262659.tif 000003
【図２】
2005262659.tif 000004
【図３】
2005262659.tif 000005
【図４】
2005262659.tif 000006
【図５】
2005262659.tif 000007
【図６】
2005262659.tif 000008